(57)【要約】【課題】実際の時間情報と表示装置に表示される時間情報とのずれを解消して正確な時間情報を表示できる表示装置に関する技術を提供する。【解決手段】コンテンツデータの再生経過時間に関する時間情報を含み、データ処理装置から送信される通信情報を取得する通信情報取得手段と、前記通信情報を前記表示装置側に表示する表示手段と、前記通信情報取得手段が前記通信情報を定期的に取得しているか否か判断する判断手段と、時間の経過を前記データ処理装置から独立して算出し、算出した時間の経過に基づいて前記コンテンツデータの再生経過時間に対応する補助時間情報を算出する補助時間算出手段と、前記判断手段が、前記通信情報取得手段が前記通信情報を不定期に取得している状態にあると判断した場合、前記表示手段が表示する前記時間情報を前記補助時間情報に切り替える切替手段と、を備える。【選択図】図４
2008047178.tif 000002
【特許請求の範囲】
【請求項１】
コンテンツデータの再生処理を行うデータ処理装置から送信される該コンテンツデータに関する情報を表示する表示装置であって、
前記コンテンツデータの再生経過時間に関する時間情報を含み、前記データ処理装置から送信される通信情報を取得する通信情報取得手段と、
前記通信情報取得手段が取得した前記通信情報を前記表示装置側に表示する表示手段と、
前記通信情報取得手段が前記通信情報を定期的に取得しているか否か判断する判断手段と、
時間の経過を前記データ処理装置から独立して算出し、算出した時間の経過に基づいて前記コンテンツデータの再生経過時間に対応する補助時間情報を算出する補助時間算出手段と、
前記判断手段が、前記通信情報取得手段が前記通信情報を不定期に取得している状態にあると判断した場合、前記表示手段が表示する前記通信情報に含まれる前記時間情報を前記補助時間算出手段で算出した前記補助時間情報に切り替える切替手段と、
を備える表示装置。
【請求項２】
前記補助時間算出手段は、前記通信情報取得手段が前記通信情報を最初に取得した時点から前記補助時間情報の算出を開始する、請求項１に記載の表示装置。
【請求項３】
前記判断手段は、前記時間情報と前記補助時間情報とを照合し、前記時間情報と前記補助時間情報との間に所定量以上の誤差がある場合に、前記通信情報取得手段が前記通信情報を不定期に取得している状態にあると判断する、請求項１又は請求項２に記載の表示装置。
【請求項４】
前記データ処理装置の動作情報を取得する動作情報取得手段を更に備え、
前記判断手段は、前記動作情報取得手段が取得した前記動作情報に基づいて前記データ処理装置が高負荷であるか否か判断し、高負荷であると判断した場合、前記通信情報取得手段が前記通信情報を不定期に取得している状態にあると判断する、請求項１に記載の表示装置。
【請求項５】
前記コンテンツデータの再生時間に関する再生情報を前記データ処理装置に要求して取得する再生情報取得手段を更に備え、
前記補助時間算出手段は、該補助時間算出手段が算出した時間の経過に前記再生情報を関連付けて前記補助時間情報を算出する、請求項１から請求項４のいずれかに記載の表示装置。
【請求項６】
前記コンテンツデータのソース情報とトラック情報とを含む属性情報を取得する属性情報取得手段を更に備え、
前記表示手段は、前記通信情報に加えて前記属性情報取得手段が取得した前記属性情報を更に表示し、
前記判断手段が、前記通信情報取得手段が前記通信情報を不定期に取得している状態にあると判断した場合、前記表示手段で表示する前記属性情報の切り替えの基準を変更する基準変更手段を更に備える、請求項１から請求項５のいずれかに記載の表示装置。
【請求項７】
前記表示手段で表示されている前記補助時間情報を再度前記時間情報に切り替えるための基準となる切替基準情報を前記データ処理装置から取得する切替基準情報取得手段と、
前記切替基準情報取得手段で取得した前記切替基準情報に基づいて前記表示手段で表示されている前記補助時間情報を再度前記時間情報に切り替える再切替手段と、を更に備え
る、
請求項１から請求項６のいずれかに記載の表示装置。
【請求項８】
コンテンツデータの再生処理を行うデータ処理装置と、
前記データ処理装置と電気的に接続され、該データ処理装置から送信される該コンテンツデータに関する情報を表示する表示装置と、を備え、
前記表示装置は、
前記コンテンツデータの再生経過時間に関する時間情報を含み、前記データ処理装置から送信される通信情報を取得する通信情報取得手段と、
前記通信情報取得手段が取得した前記通信情報を前記表示装置側に表示する表示手段と、
前記通信情報取得手段が前記通信情報を定期的に取得しているか否か判断する判断手段と、
時間の経過を前記データ処理装置から独立して算出し、算出した時間の経過に基づいて前記コンテンツデータの再生経過時間に対応する補助時間情報を算出する補助時間算出手段と、
前記判断手段が、前記通信情報取得手段が前記通信情報を不定期に取得している状態にあると判断した場合、前記表示手段が表示する前記通信情報に含まれる前記時間情報を前記補助時間算出手段で算出した前記補助時間情報に切り替える切替手段と、
を有するデータ処理システム。
【発明の詳細な説明】
【技術分野】
【０００１】
本発明は、コンテンツデータを再生処理するデータ処理装置からの情報を表示する表示装置、及びこの表示装置を備えるデータ処理システムに関する。
【背景技術】
【０００２】
車両に搭載されるデータ処理装置として、ＡＭ／ＦＭラジオ、ＣＤ、ＭＤプレーヤ、及びナビゲーション装置をユニット化したオーディオ・ナビゲーションシステム等が知られている。データ処理装置には表示装置が接続され、この表示装置には、演奏中の曲の経過時間やトラック番号が表示され、車両が右折等すべき交差点に近づいた際には表示が切り替えられ、交差点の形状と進行方向とを示す矢印が表示される。
【０００３】
なお、データ処理装置に関連する技術として、演奏中のトラック番号等の表示とナビゲーション表示を自動的に切り替える技術が知られている（例えば、特許文献１参照）。この技術によれば、ユーザが表示モードを切り替えることなく、車両の進行方向等を確認することができる。また、データ処理装置に関連する他の技術として、光ディスクから読み出された再生データにサブコード情報を付加する技術が知られている（例えば、特許文献２参照）。この技術によれば、表示再生に係る処理負担を軽減することができる。
【特許文献１】特開２００２−２２４７４号公報
【特許文献２】特開２００４−３５５６８３号公報
【発明の開示】
【発明が解決しようとする課題】
【０００４】
コンテンツデータ等の再生や加工等のデータ処理を行うデータ処理装置には、表示装置が接続され、この表示装置には、再生中のコンテンツデータの再生経過時間に関する時間情報やトラック情報等が表示される。しかし、データ処理装置は、様々な処理を行うので、高負荷がかかることも少なくない。
【０００５】
例えば、データ処理装置が、コンテンツデータとしてＣＤに格納された音楽データを再生中に再生中のＣＤのデータをリッピングして、表示装置側の記憶装置に転送する場合がある。この場合、データ処理装置は、コンテンツデータの再生、リッピング、リッピングデータの転送といった処理を同時に実行することになり、データ処理装置には高負荷がかかる。
【０００６】
データ処理装置に高負荷がかかる場合、データ処置装置は、コンテンツデータの再生、リッピングを優先することから、再生中のコンテンツデータの時間情報が定期的に送信できないといった問題を生じる。時間情報は、通常例えば、１秒間隔で定期的に表示装置に送信されるものであるが、上記のようにデータ処理装置に高負荷が発生した場合には、時間情報が定期的に送信されないため、実際の再生経過時間と表示装置に表示される再生経過時間との間にずれが生じる。図１は、従来技術における問題点を示す図である。同図に示すように、データ処理装置の高負荷が発生する前では、１秒間隔で定期的に時間情報が表示装置に送信されている。しかし、データ処理装置に高負荷が発生した後においては、データ処理装置からの時間情報の送信に遅れが生じ、表示装置は、実際の再生経過時間は１分４秒であるにも関わらず、再生経過時間として１分３秒を表示している。このようにデータ処理装置に高負荷が発生した場合、実際の再生経過時間と表示装置に表示される再生経過時間との間にずれが生じてしまう。
【０００７】
本発明では、上記した問題に鑑み、データ処理装置からの時間情報を含む通信情報を表
示装置が表示する場合において、実際の時間情報と表示装置に表示される時間情報とのずれを解消して正確な時間情報を表示できる表示装置に関する技術を提供することを課題とする。
【課題を解決するための手段】
【０００８】
本発明では、上述した課題を解決するために、表示装置がコンテンツデータの再生経過時間に関する時間情報を補助時間情報として独自で算出し、データ処理装置からの時間情報が定期的に入力されない場合に独自で算出した補助時間情報を表示することとした。
【０００９】
詳細には、本発明は、コンテンツデータの再生処理を行うデータ処理装置から送信される該コンテンツデータに関する情報を表示する表示装置であって、前記コンテンツデータの再生経過時間に関する時間情報を含み、前記データ処理装置から送信される通信情報を取得する通信情報取得手段と、前記通信情報取得手段が取得した前記通信情報を前記表示装置側に表示する表示手段と、前記通信情報取得手段が前記通信情報を定期的に取得しているか否か判断する判断手段と、時間の経過を前記データ処理装置から独立して算出し、算出した時間の経過に基づいて前記コンテンツデータの再生経過時間に対応する補助時間情報を算出する補助時間算出手段と、前記判断手段が、前記通信情報取得手段が前記通信情報を不定期に取得している状態にあると判断した場合、前記表示手段が表示する前記通信情報に含まれる前記時間情報を前記補助時間算出手段で算出した前記補助時間情報に切り替える切替手段と、を備える。
【００１０】
本発明に係る表示装置は、補助時間算出手段がデータ処理装置から独立して時間の経過を算出し、算出した時間の経過に基づいてコンテンツデータの再生経過時間に対応する補助時間情報を算出する。したがって、データ処理装置からの時間情報を定期的に取得できない場合には、補助時間情報を表示することができ、常にコンテンツデータの正確な再生経過時間を表示することができる。ここで、補助時間情報とは、本来データ処理装置から定期的に取得するはずの時間情報を取得できないことにより、正確な時間情報を表示できない場合に、時間情報に代替させて正確な時間情報を表示するための補助的な時間情報である。なお、コンテンツデータの時間情報は、データ処理装置から表示手段に定期的に送信される情報である。定期的に送信されるとは、一定の間隔（例えば一秒間隔）で連続して送信されることを意味する。なお、一定の間隔は、データ処理装置の処理機能に応じて適宜設定されるものである。
【００１１】
補助時間算出手段が補助時間情報をデータ処理装置から独立して算出しておくことで、データ処理装置からの時間情報を表示することではコンテンツデータの正確な再生経過時間を表示できない場合に、表示する再生経過時間を補助時間情報によるものに切り替えることができ、その結果、表示手段に表示されるコンテンツデータの時間情報を常に正確なものとすることができる。ここで、時間情報を補助時間情報に切り替える場合には、時間情報を補助時間情報に切り替える必要があるか判断する必要がある。切り替える必要がない場合、すなわち、データ処理装置からの時間情報を表示することでコンテンツデータの正確な再生経過時間を表示できる場合には、データ処理装置からの時間情報を表示すればよいからである。そして、本発明では、時間情報を補助時間情報に切り替える必要があるか否かについての判断を判断手段により行っている。
【００１２】
なお、補助時間算出手段による補助時間の算出は、補助時間算出手段が算出した時間の経過にコンテンツデータの再生時間に関する再生情報を関連付けることで行うことができる。すなわち、補助時間算出手段は、タイマ機能を有することで時間の経過をデータ処理装置とは独立して算出することができるが、時間の経過を算出するだけでは、コンテンツデータ毎の再生の合計時間等を算出することができない。しかし、コンテンツデータ毎の再生時間に関する情報を含む再生情報を取得し、これを算出した時間の経過に関連付ける
ことで例えば、現在再生中のコンテンツデータの終期や次に再生するコンテンツデータの始期を算出することが可能となる。なお、再生情報の取得は、再生情報取得手段がデータ処理装置から取得することで行うことができる。
【００１３】
判断手段は、通信情報取得手段が時間情報を含む通信情報を定期的に取得しているか否かにより、表示する情報を時間情報から補助時間情報に切り替える必要があるか否か判断する。そして、切り替える必要があると判断した場合には、切替手段によって時間情報から補助時間情報へ切り替えられる。その結果、常に正確なコンテンツデータの再生経過時間を表示することが可能となる。
【００１４】
なお、補助時間算出手段は、表示手段に表示するコンテンツデータの通信情報を最初に取得した時点から補助時間情報の算出を開始すればよい。時間情報は、通信情報に含まれる情報であることから、補助時間情報の算出の開始時期、すなわち、表示装置側のタイマ機能のＯＮのタイミングを通信情報を最初に受け付けた時点とすることで、効率のよい開始時期とすることができる。
【００１５】
ここで、判断手段による判断は、例えば時間情報と補助時間情報とを照合し、互いの情報との間に所定量以上の誤差がある場合に、通信情報取得手段が通信情報を不定期に取得している状態にあると判断してもよい。データ処理装置から定期的に送信される時間情報と表示装置側で独自で算出する補助時間情報とは、基本的には一致しているものであるので、これらの互いの情報を照合、すなわち比較した結果、誤差がある場合には、少なくともどちらか一方の情報が正確性を欠いていることが考えられる。したがって、本発明では、通常はデータ処理装置からの時間情報が正確であるとして表示していたものを、補助時間情報と照合した結果誤差がある場合には、時間情報が正確性を欠いていると判断し、表示する情報を補助時間情報に切り替えることでコンテンツデータの再生経過時間の正確性を維持するものである。
【００１６】
なお、所定量の誤差は、例えば２０％とすることができる。例えば時間情報が１秒間隔で送信されている場合には、補助時間情報に対して時間情報が０．２秒よりも遅れた場合に、時間情報が定期的に入力されていないと判断することができる。なお、所定量の誤差は、データ処理装置の処理機能に応じて適宜変更することができる。
【００１７】
また、判断手段の判断は、データ処理装置が高負荷であるかの判断に基づいて行ってもよい。データ処理装置に高負荷がかかる場合には、時間情報が定期的に送信されないことが予測される。したがって、データ処理装置に高負荷がかかっている場合には、時間情報が定期的に通信されていないと判断して補助時間情報を表示手段に表示することで、コンテンツデータの再生経過時間を正確なものとすることができる。なお、高負荷か否かの判断は、動作情報に基づいて判断することができる。動作情報とは、データ処理装置が行っている処理状態に関する情報である。また、高負荷であるか否かの判断は、データ処理装置の温度を取得することで行ってもよい。
【００１８】
また、表示手段には、通信情報に加えてコンテンツデータのソース情報やトラック情報を含む属性情報を表示することができる。そしてこの属性情報は、再生されるコンテンツデータが切り替わることに伴って、通常切り替わる。しかし、通信情報を定期的に取得できないような場合には、例えば属性情報の取得にも遅れが生じることが想定される。したがって、表示手段による属性情報の切り替えについても、表示装置側で独立して算出した補助時間情報に基づいて切り替えることで、属性情報の表示の遅れを防止することができる。そして、この切り替える際の基準の変更は、基準変更手段により行うことができる。
【００１９】
ここで、表示手段に表示されている補助時間情報は、あくまで時間情報を定期的に取得
できない場合の補助的な時間情報であるため、切り替え後は何らかのタイミングで再度通常状態、補助時間情報に切り替える必要がある。そして、このような再度の切り替えは、再切替手段により行うことができる。再切替手段は、切替基準情報取得手段で取得した切替基準情報に基づいて行うことができる。なお、切替基準情報には、再生されるコンテンツデータが変更された情報、新しいコンテンツデータが入力された情報、データ処理装置の再生モードが変更された情報等が例示される。
【００２０】
なお、上述した表示装置をコンテンツデータの再生処理を行うデータ処理装置と共に用いる構成として、データ処理システムとしてもよい。データ処理装置を備えることでコンテンツデータの再生処理を行うことができ、また、上述した表示装置を備えることで、データ処理装置からの時間情報を定期的に取得できない場合であっても、コンテンツデータの正確な再生経過時間を表示することが可能となる。
【発明の効果】
【００２１】
本発明によれば、データ処理装置からの時間情報を含む通信情報を表示装置が表示する場合において、コンテンツデータの実際の再生経過時間と表示装置に表示される再生経過時間とのずれを防止することができる表示装置及びデータ処理システムに関する技術を提供することができる。
【発明を実施するための最良の形態】
【００２２】
次に、本発明に係る表示装置の実施形態について図面に基づいて説明する。なお、本実施形態においては、ディスプレイ５０（本発明の表示装置に相当する。）とヘッドユニット１（本発明のデータ処理装置に相当する。）とを備えるコンテンツデータ再生処理システム１００として説明する。
【００２３】
図２は、本実施形態に係るディスプレイ５０とヘッドユニット１とを備えるコンテンツデータ処理システム１００概略構成を示す図である。本実施形態に係るコンテンツデータ処理システム１００は、車両等の移動体に設置して、移動式のシステムとすることができるが、これに限定されるわけではない。コンテンツデータ処理システム１００は、コンテンツデータとしての音楽データ（以下、単にコンテンツデータという。）を再生処理、加工処理をして移動体内のユーザに楽曲を提供するヘッドユニット１とコンテンツデータに関する情報、例えばコンテンツデータの再生経過時間やアーティスト情報等を表示するディスプレイ５０とを備える電子機器システムである。
【００２４】
まず、本発明に係る表示装置に相当するディスプレイ５０に電気的に接続されるヘッドユニット１について説明する。ヘッドユニット１は、中央処理装置（以下、ＣＰＵとする。）３を有している。このＣＰＵ３は、その内部に、システム制御部４を有し、システム制御部４がハードディスクドライブ（以下、ＨＤＤとする。）１２に記憶された様々なコンテンツデータにアクセスして、それらのデータの再生等の処理を行う。
【００２５】
システム制御部４は、主として、ユーザに対して音楽を提供するために、ヘッドユニット１を、コンテンツデータを処理する装置として機能させるための制御を行う。例えば、ヘッドユニット１は、コンテンツデータを移動体内で再生する機能を有する。コンテンツデータの再生処理について説明すると、ヘッドユニット１は、ＣＤ／ＤＶＤデッキ（以下、単にＣＤデッキとする。）１３と、ＨＤＤ１２と、移動体内のユーザ（移動体の操縦者や同乗車等のヘッドユニット１の操作が可能である者であり、以下においても同様とする。）からのコンテンツデータの処理に関する指令を受け付ける入力部８と、を有しており、それぞれがシステム制御部４と電気的に接続されている。また、システム制御部４には、ＤＳＰ（Ｄｉｇｉｔａｌ  Ｓｉｇｎａｌ  Ｐｒｏｃｅｓｓｏｒ）再生制御部１９が電気的に接続され、ＤＳＰ再生制御部１９ではシステム制御部４から送られるコンテンツデー
タに対して演算処理を施し、移動体内に設けられたパワーアンプ２０に音楽演奏のための電気信号を送る。更にシステム制御部４には、ヘッドユニットの電源のＯＮ／ＯＦＦを切り替えるスイッチ１４やパワーアンプ２０から出力される音楽の音量を調整するボリュームコントロール１５が接続されている。
【００２６】
また、ＣＰＵ３内において、システム制御部４は、エンコード／デコード部５と暗号化／複合化部６と電気的に接続されている。エンコード／デコード部５では、ＨＤＤ１２内のコンテンツデータを記憶する際の該コンテンツデータの圧縮や、その圧縮されたコンテンツデータのＤＳＰ再生制御部１９での演算処理のための解凍が行われる。また、暗号化／複合化部６では、ＨＤＤ１２内に記憶されるコンテンツデータの著作権を保護するための暗号化、およびその複合化を行う。
【００２７】
また、ＣＰＵ３は、不揮発性のメモリとしてのＲＡＭ１０とＲＯＭ１１とも電気的に接続されており、必要に応じてこれらのメモリに記憶されている情報にアクセスすることが可能である。
【００２８】
次に、上述したヘッドユニット１に電気的に接続されるディスプレイ５０について説明する。ディスプレイ５０は、ヘッドユニット１から送信されるコンテンツデータに関する情報を表示するものであり、ＣＰＵ５１を有し、ＣＰＵ５１は、その内部に、ディスプレイ５０を制御する制御部５２を有している。また、ＣＰＵ５１には、ＲＡＭ５３及びＲＯＭ５４が電気的に接続されている。
【００２９】
ディスプレイ５０は、ヘッドユニット１から送信されるコンテンツデータに関する情報を表示するものであるが、このコンテンツデータに関する情報の表示は、ディスプレイ５０が図３に示す機能を果たすことで達成されるものである。図３は、ディスプレイ５０の主要な各機能をヘッドユニット１の各機能と共にイメージ化した図である。
【００３０】
図３に示すように、ディスプレイ５０は、取得部７０と、表示部７１と、補助時間算出部７２と、判断部７３と、切替部７４と、再切替部７５と、を備える。取得部７０（本発明の通信情報取得手段に相当する。）では、ヘッドユニット１のコンテンツデータに関する情報を送信する送信部６０から送信されるコンテンツデータに関する情報が取得される。なお、コンテンツデータに関する情報には、コンテンツデータの再生経過時間に関する情報（本発明の時間情報に相当する。）や再生トラックに関する情報が含まれる。また、コンテンツデータの再生経過時間に関する情報や再生トラックに関する情報は、ヘッドユニット１の送信部６０から定期的に送信されるものであり、本発明の通信情報に相当する。
【００３１】
表示部７１（本発明の表示手段に相当する。）には、取得部７０で取得した通信情報が表示される。なお、表示部７１が表示するコンテンツデータに関する情報には、上記通信情報の他、コンテンツデータの属性情報も含まれる。属性情報とは、例えばコンテンツデータの曲情報やアーティスト情報である。
【００３２】
補助時間算出部７２（本発明の補助時間算出手段に相当する。）では、ヘッドユニット１とは独立したコンテンツデータの再生経過時間が補助時間情報として算出される。より具体的には、補助時間算出部７２は、タイマ機能を備えるものであり、独立して時間の経過を算出する。時間の経過の算出は、ＣＰＵクロックによるタイマー割り込みを利用して算出することができる。そして、取得部７０は、ヘッドユニット１からコンテンツデータ毎の再生情報、すなわち曲の長さ等を取得し、補助時間算出部７２がこれを算出した時間の経過と関連付けることで、時間情報とは独立した補助時間情報を算出することができる。なお、取得部７０は、本発明の通信情報取得手段の他、再生情報取得手段としての機能
も担う。
【００３３】
判断部７３（本発明の判断手段に相当する。）では、取得部７０が通信情報を定期的に取得している否かが判断される。すなわち、通信情報は、ヘッドユニット１のＣＰＵ３の性能により異なるが、送信部６０から取得部７０へ、例えば１秒間隔で送り続けられる。一方、ディスプレイ５０では、独立して補助時間情報を算出しているので、判断部７３は、取得部７０で取得するヘッドユニット１からの時間情報とディスプレイ５０側で算出した補助時間情報とを照合し、補助時間情報に対して、時間情報が０．２秒よりも遅れている場合には、取得部７０が通信情報を不定期に取得している状態にあると判断することができる。なお、上記は、通信情報が１秒間隔で送信されている場合において、時間情報と補助時間情報との誤差を２０％とした場合の例であるが、この誤差の設定は、これに限定されるわけではなく、ヘッドユニット１のＣＰＵ３の性能に応じて適宜設定することができる。
【００３４】
切替部７４（本発明の切替手段に相当する。）では、取得部７０が通信情報を不定期に取得している状態にあると判断した場合に、時間情報が補助時間情報に切り替えられる。また、再切替部７５（本発明の再切替手段に相当する。）では、再生しているコンテンツデータが切り替わるなどの切替基準情報に基づいて、表示部７１に表示される情報が補助時間情報から時間情報に再度切り替えられる。
【００３５】
次に、図４に示すシーケンス例に基づいてディスプレイ５０における表示の切り替えについて説明する。まず、ヘッドユニット１のＣＤデッキ１３にＣＤが挿入されることでＣＤに格納されるコンテンツデータの再生が開始される。なお、コンテンツデータの再生は、ＣＤに格納されたコンテンツデータの再生に限られず、ＨＤＤ１２に記憶されているコンテンツデータの再生でもよく、また、レジューム再生であってもよい。コンテンツデータの再生が開始されると、まずヘッドユニット１からディスプレイ５０へ曲情報及びアーティスト情報が送信され、続いて通信情報が送信される。ディスプレイ５０の取得部７０が最初の通信情報を取得すると、補助時間算出部７２の時間の経過の算出が開始される。すなわちタイマ機能がＯＮとなる（ステップＳ１０１）。なお、最初の通信情報を取得した後、ディスプレイ５０は、コンテンツデータのソース情報、トラックの時間情報、全トラックの時間情報等（本発明の再生情報に相当する。）を取得する。これにより、ディスプレイ５０で独自に算出する時間の経過と再生中のコンテンツデータの経過時間とを関連付けること、すなわち、１曲目が４分４０秒の曲であり、２曲目が２分３０秒の曲であるといった情報と経過時間とを関連付けることで、補助時間の算出が可能となる。なお、例えばコンテンツデータのソース情報を取得できず、全トラックの時間情報のみを取得したような場合には、ＣＤＤＢ（登録商標第４７２０６７５号）やネットワークを介してソース情報（ソース情報等）を取得するようにしてもよい。
【００３６】
最初の通信情報を送信後は、ヘッドユニット１からディスプレイ５０へ１秒間隔で通信情報が送り続けられる。すると、ディスプレイ５０では、判断部７３によって取得部７０で取得した通信情報に含まれる時間情報とディスプレイ５０で算出した補助時間情報とを照合し、誤差が所定の範囲内であるか否か判断する。そして、誤差が所定の範囲内であればヘッドユニット１から送信される時間情報を表示部７１に表示する。すなわち、例えばあるコンテンツデータの現在の再生時間が１：００であり、照合の結果誤差が所定の範囲内であれば表示部７１にはヘッドユニット１から送信される再生時間情報に基づいて、時間情報として１：００が表示される（ステップＳ１０２）。
【００３７】
通信情報は、その後もヘッドユニット１からディスプレイ５０へ１秒間隔で定期的に送り続けられ、判断部７３による照合の結果、誤差が所定の範囲内であればヘッドユニット１から送信される時間情報が表示部７１に表示される。すなわち、再生時間１：０１では
、表示部７１に時間情報として１：０１が、再生時間１：０２では、表示部７１に時間情報として１：０２が表示される。
【００３８】
再生時間１：０２経過後において、ヘッドユニット１で高負荷処理が発生している。なお、高負荷処理となる要因は、様々であるが、例えばＣＤに格納されたコンテンツデータの再生中にこのコンテンツデータをリッピングする場合が例示できる。このような状態においては、ヘッドユニット１では、ＣＤの再生、コンテンツデータの送信、通信情報の送信、ＣＤのリッピング、リッピングデータの送信という作業を同時に実行されることが考えられ、ヘッドユニット１のＣＰＵ３に負荷がかかるからである。また、上記処理には、あらかじめ優先順位が設けられており、通信情報の送信は優先順位が低く設定されていることが一般的である。したがって、このような場合には、通信情報の送信に遅れが生じ、その結果取得部７０で取得する通信情報に含まれる時間情報も実際の再生時間よりも遅れることになる。
【００３９】
ヘッドユニット１のＣＰＵ３に高負荷処理が発生した場合であって、ディスプレイ５０の判断部７３が、取得部７０で取得するヘッドユニット１からの時間情報と補助時間算出部７２で算出した補助時間情報とを照合し、補助時間情報に対して時間情報が０．２秒よりも遅れている場合には、取得部７０が通信情報を不定期に取得している状態にあると判断することができる。そして、この場合には、ディスプレイ５０の補助時間算出部７２で算出した補助時間情報としての１：０３が表示部７１に表示される（ステップＳ１０５）。
【００４０】
なお、本実施形態では、判断部７３の判断結果に基づいて表示部７１に表示する情報を時間情報から補助時間情報に切り替えることとしたがこれに限定されるわけではない。ディスプレイ５０は、ヘッドユニット１のＣＰＵ３の動作情報を取得し、動作情報に基づいてＣＰＵ３が高負荷状態であるか否か判断し、高負荷状態であると判断した場合には、取得部７０が通信情報を不定期に取得している状態にあると判断することとしてもよい。
【００４１】
その後、再生時間１：０４では、通信情報が遅れずにディスプレイ５０に送信されている。したがって、通信情報に含まれる時間情報を表示することでもコンテンツデータの正確な再生時間を表示することはできるが、表示する情報が補助時間情報に切り替えられているので、再生時間１：０４では、通信情報に含まれる時間情報ではなく、補助時間情報としての１：０４が表示される（ステップＳ１０６）。
【００４２】
その後、次曲の開始に伴い表示部７１に表示されるコンテンツデータの再生時間が再度時間情報によるものに切り替えられる（ステップＳ１０７）。なお、本実施形態では、次曲を開始する情報（本発明の基準情報に相当する。）をディスプレイ５０が取得し、再切替部７５によって切り替えることとした。しかし、これに限定されるわけではなく、コンテンツデータが変更された情報、新しいコンテンツデータが入力された情報、データ処理装置の再生モードが変更された情報等をディスプレイ５０が取得し、これに基づいて再切替手段により切り替えてもよい。
【００４３】
なお、ディスプレイ５０の制御部５２で行われる時間情報の切替制御は、以下のように行うことができる。図５は、制御部５２で行われる切替制御を示すフローである。
【００４４】
ステップＳ２０１では、ＣＰＵ５１は、取得部７０を介してコンテンツデータの時間情報を取得する。次に、ステップＳ２０２では、判断部７３により時間情報と補助時間情報との誤差が所定の範囲を上回っているか否か判断する。所定の範囲を上回っていると判断しなかった場合、ＣＰＵ５１は、時間情報を表示部７１に表示する（ステップＳ２０３）。一方、所定の範囲を上回っていると判断した場合、ＣＰＵ５１は、切替部７４により表
示部７１に表示される時間情報を補助時間情報に切り替える（ステップＳ２０４）。そして、ＣＰＵ５１は、ヘッドユニット１で再生中のコンテンツデータが切り替わったことを検知すると、再切替部７５により表示部７１に表示されている情報を補助時間情報から再度時間情報に切り替え、切替制御を終了する。
【００４５】
以上説明した本実施形態に係るコンテンツデータ再生処理システム１００によれば、ディスプレイ５０が独立して経過時間を算出し、コンテンツデータの再生時間に対応する補助時間情報を算出するので、例えばヘッドユニット１のＣＰＵ３に高負荷がかかった場合であって、時間情報が定期的に送信されない場合であっても、補助時間情報をディスプレイ５０に表示することができる。すなわち、常にコンテンツデータの再生時間として正確な情報を表示することが可能となる。
【００４６】
以上、本発明の好適な実施形態を説明したが、本発明に係る表示装置はこれらに限らず、可能な限りこれらの組合せを含むことができる。また、上述したディスプレイ５０の機能の使用有無をユーザが切り替えられるようにしてもよい。
【図面の簡単な説明】
【００４７】
【図１】従来の一般的な磁気回路の断面図である。
【図２】ディスプレイとヘッドユニットとを備えるコンテンツデータ処理システムの概略構成を示す図である。
【図３】制御部の各機能をヘッドユニットの各機能と共にイメージ化した図である。
【図４】シーケンス例を示す図である。
【図５】制御部で行われる切替制御を示すフローである。
【符号の説明】
【００４８】
１・・・ヘッドユニット
３、５１・・・ＣＰＵ
３０・・・ＬＡＮ
５０・・・ディスプレイ
５２・・・制御部
５３・・・ＲＡＭ
５４・・・ＲＯＭ
１００・・・コンテンツデータ処理システム
【図１】
2008047178.tif 000003
【図２】
2008047178.tif 000004
【図３】
2008047178.tif 000005
【図４】
2008047178.tif 000006
【図５】
2008047178.tif 000007